(57)【特許請求の範囲】
【請求項１】
回動されることによりソケットに取り付けられる照明装置であって、
光出射側に発光部が設けられ、かつ、前記光出射側の反対側に第一凹部が設けられた器具本体と、
少なくとも一部が前記第一凹部内に位置する口金であって、前記回動により前記ソケットにねじ入れられる口金と、
前記器具本体の前記光出射側のうち中央を含む領域に設けられた把持部とを備え、
前記回動の軸方向から見た場合に、前記把持部の外形は、前記器具本体の外形よりも小さい
照明装置。
【請求項２】
前記把持部には、第二凹部が設けられる
請求項１に記載の照明装置。
【請求項３】
前記把持部には、２つの前記第二凹部が設けられ、
前記回動の軸方向から見た場合に、２つの前記凹部は、当該回動の軸を囲むように配置された一対のアーチ状である
請求項２に記載の照明装置。
【請求項４】
前記回動の軸方向から見た場合に、
前記回動の軸から前記器具本体の外縁の端までの距離は、７５ｍｍ以上１００ｍｍ以下であり、
前記回動の軸から前記第二凹部の幅方向の中心までの距離は、１５ｍｍ以上２５ｍｍ以下である
請求項３に記載の照明装置。
【請求項５】
前記第二凹部の底面は、曲面を含む
請求項２〜４のいずれか１項に記載の照明装置。
【請求項６】
前記把持部には、凸部が設けられる
請求項１に記載の照明装置。
【請求項７】
前記回動の軸方向から見た場合に、前記発光部は、前記把持部を囲むように設けられている
請求項１〜６のいずれか１項に記載の照明装置。
【請求項８】
前記口金は、Ｅ形口金である
請求項１〜７のいずれか１項に記載の照明装置。
【請求項９】
前記口金は、全部が前記第一凹部内に位置する
請求項１〜８のいずれか１項に記載の照明装置。
【発明の詳細な説明】
【技術分野】
【０００１】
本発明は、ソケットに取り付けられる照明装置に関する。
【背景技術】
【０００２】
従来、Ｅ形口金を備える白熱電球や電球形蛍光灯などが住宅用照明として使用されている。また、近年、ＬＥＤ光源を用いたＬＥＤ照明装置が普及しつつある。例えば、特許文献１には、Ｅ形口金を備えるＬＥＤ照明装置が開示されている。
【先行技術文献】
【特許文献】
【０００３】
【特許文献１】特開２０１２−２３０９１２号公報
【発明の概要】
【発明が解決しようとする課題】
【０００４】
口金を備える照明装置をソケットに取り付ける場合、ユーザは、照明装置の器具本体の外縁を手で把持して照明装置を回動させる。このとき、器具本体に大きな負荷（トルク）がかかり、口金の破損が生じる場合がある。
【０００５】
本発明は、取り付け時に口金が破損しにくい照明装置を提供する。
【課題を解決するための手段】
【０００６】
本発明の一態様に係る照明装置は、回動されることによりソケットに取り付けられる照明装置であって、光出射側に発光部が設けられた器具本体と、前記器具本体の前記光出射側と反対側に設けられた口金であって、前記回動により前記ソケットにねじ入れられる口金と、前記器具本体の前記光出射側のうち中央を含む領域に設けられた把持部とを備え、前記回動の軸方向から見た場合に、前記把持部の外形は、前記器具本体の外形よりも小さい。
【発明の効果】
【０００７】
本発明によれば、口金が破損しにくい照明装置が実現される。
【図面の簡単な説明】
【０００８】
【図１】図１は、実施の形態１に係る照明装置の斜視図である。
【図２】図２は、実施の形態１に係る照明装置の下方から見た分解斜視図である。
【図３】図３は、実施の形態１に係る照明装置の上方から見た分解斜視図である。
【図４】図４は、実施の形態１に係る照明装置をＹ−Ｚ平面で切断した模式断面図である。
【図５】図５は、物体に加わる力を説明するための概念図である。
【図６】図６は、変形例１に係る器具本体の外観斜視図である。
【図７】図７は、変形例１に係る器具本体の上面図である。
【図８】図８は、変形例１に係る器具本体の模式断面図（変形例１に係る器具本体を図７の８−８線で切断した模式断面図）である。
【図９】図９は、凸部が設けられた把持部を有する器具本体の外観斜視図である。
【図１０】図１０は、変形例２に係る照明装置の模式断面図である。
【発明を実施するための形態】
【０００９】
以下、本発明の実施の形態について、図面を参照しながら具体的に説明する。なお、各図は、模式図であり、必ずしも厳密に図示したものではない。
【００１０】
なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略または簡略化される場合がある。
【００１２】
（実施の形態１）
まず、実施の形態１に係る照明装置の構成について詳細に説明する。図１は、実施の形態１に係る照明装置の外観斜視図である。図２は、実施の形態１に係る照明装置の下方から見た分解斜視図であり、図３は、実施の形態１に係る照明装置の上方から見た分解斜視図である。図４は、実施の形態１に係る照明装置をＹ−Ｚ平面で切断した模式断面図である。なお、図１〜図３では、照明装置１０のランプ軸Ｊ（照明装置１０の中心軸。以下単に軸Ｊとも記載する。）が図示されている。また、図４では、実施の形態１に係る照明装置１０が取り付けられるソケット８０、及び、ソケット８０が設けられた設置面の一例である天井面７１（天井７０の下面）も図示されている。
【００１３】
以下の実施の形態１において、Ｚ軸方向は、例えば鉛直方向であり、Ｚ軸＋側は、上側（上方）または設置面側と記載される場合がある。また、Ｚ軸−側は、下側（下方）または光出射側と記載される場合がある。また、Ｘ軸方向及びＹ軸方向は、Ｚ軸に垂直な平面（水平面）上において、互いに直交する方向である。
【００１４】
図１〜図４に示されるように、照明装置１０は、器具本体２０と、ヒートシンク２５と、発光モジュール３０と、カバー３５と、口金４０と、枠体５０とを備える。
【００１５】
照明装置１０は、回動されることによりソケット８０に取り付けられ、主に下方を照らすシーリングライトである。なお、照明装置１０をソケット８０に取り付ける際の回動の軸は、ランプ軸Jと一致する。以下の実施の形態では、回動の軸についても軸Ｊと記載する。
【００１６】
照明装置１０は、具体的には、カバー３５が下方を向いた状態で口金４０が天井面７１に設けられたソケット８０に取り付けられる。照明装置１０の平面視形状（軸Ｊの方向から見た形状）は、円形である。
【００１７】
器具本体２０は、平たい略円柱状（略扁平状）の部材であり、上面２２（取り付け面）が天井面７１に対向した状態で、軸Ｊ回りに回動されることによりソケット８０に取り付けられる。器具本体２０の平面視形状は、直径２０ｃｍ程度の円形である。器具本体２０は、例えば、ＰＢＴ（ポリブチレンテレフタレート）等の樹脂材料によって形成されるが、金属材料によって形成されてもよい。
【００１８】
器具本体２０の下面２１（図２において図示される光出射側の面）の中央部分には、把持部６０が設けられる。把持部６０は、照明装置１０のソケット８０への取り付けの際にユーザによって把持される部分であり、実施の形態１では、器具本体２０と一体形成される。
【００１９】
また、器具本体２０の下面２１であって、把持部６０の近傍には、リード線挿通孔２１ａ（図２において図示）が設けられる。リード線挿通孔２１ａには、器具本体２０内部に収容される電源回路基板と、発光モジュール３０とを電気的に接続するためのリード線が挿通される。
【００２０】
器具本体２０の上面２２（光出射側と反対側の面）の中央部分には、下方に向かって凹んだ凹部２３が設けられる。凹部２３の平面視形状は、器具本体２０よりも径が小さい円形である。器具本体２０のうち、凹部２３を形成する底面の中央には、上方に向かって突出した凸部２３ａが設けられる。凸部２３ａには、口金４０が取り付けられる。
【００２１】
器具本体２０の側面（外周面）には、枠体５０がねじ嵌められるねじ溝が設けられる。より具体的には、器具本体２０の側面には、ねじ溝を形成する周方向に長い複数の突起からなるリッジ部２４が断続的に設けられる。リッジ部２４は、器具本体２０の側面の周方向において、４箇所に分かれて等間隔に配置されている。リッジ部２４は、器具本体２０の側面において全周にわたって設けられてもよい。
【００２２】
なお、図示されないが、器具本体２０の内部には、発光モジュール３０に電力を供給するための電源回路（電源回路を構成する回路部品）が実装された基板（電源回路基板）が収容される。つまり、器具本体２０は、電源回路基板を収容する筐体としても機能する。
【００２３】
電源回路基板は、口金４０を介して供給される交流電力を、発光モジュール３０が発光するための直流電力に変換する。この直流電力は、リード線挿通孔２１ａに挿通される、電源回路基板と発光モジュール３０とを接続するリード線を通じて発光モジュール３０（発光素子３２）に供給される。
【００２４】
ヒートシンク２５は、円環板状の放熱部材であり、器具本体２０と、発光モジュール３０との間に設けられる。ヒートシンク２５の中央に設けられた円形の開口２６には、把持部６０が挿通され、ヒートシンク２５の上面は、器具本体２０の下面２１に当接(面接触)する。ヒートシンク２５は、アルミなどの金属部材により形成される。
【００２５】
なお、ヒートシンク２５の上面と器具本体２０の下面２１との間には、放熱シートまたは放熱グリスなどの放熱部材が設けられてもよい。また、ヒートシンク２５の上面と器具本体２０の下面２１との間には、ヒートシンク２５を器具本体２０に接着するための接着剤が設けられてもよい。
【００２６】
発光モジュール３０は、基板３１と、基板３１上に実装された複数の発光素子３２とを有する。発光モジュール３０は、発光部の一例であり、照明装置１０の光源として機能する。
【００２７】
基板３１は、ヒートシンク２５よりも径が小さい、円環板状の基板である。基板３１は、ヒートシンク２５と、カバー３５との間に設けられる。基板３１の中央に設けられた円形の開口３３には、把持部６０が挿通される。つまり、回動の軸Ｊの方向から見た場合に、基板３１（発光モジュール３０）は、把持部６０を囲むように設けられている。基板３１は、例えば、セラミックや熱伝導性樹脂などの電気絶縁性を有する材料により形成される。
【００２８】
基板３１の上面は、ヒートシンク２５の下面と当接（面接触）しており、発光素子３２の発光により生じた熱は、ヒートシンク２５に伝導する。なお、基板３１の上面と、ヒートシンク２５の下面との間には、放熱シートまたは放熱グリスなどの放熱部材が設けられてもよい。また、基板３１の上面と、ヒートシンク２５の下面との間には、基板３１をヒートシンク２５に接着するための接着剤が設けられてもよい。
【００２９】
基板３１の下面には、アルミや銅などからなる金属膜がパターニングされている。金属膜は、具体的には、発光素子３２に電力を供給するための端子部３４及び配線である。金属膜には、端子部３４及び配線の他に、発光素子３２が発する光を効率良く下方に出射するための光反射用の金属膜、及び、発光素子３２が発する熱を効率良く発散させるための放熱用の金属膜などが含まれてもよい。また、金属膜は、基板３１の上面にも設けられてもよい。
【００３０】
発光素子３２は、白色光を発する表面実装型（Ｓｕｒｆａｃｅ  Ｍｏｕｎｔ  Ｄｅｖｉｃｅ：ＳＭＤ型）のＬＥＤ素子であり、基板３１の下面に複数設けられる。複数の発光素子３２は、基板３１の下面に円環状に配置されている。表面実装型のＬＥＤ素子とは、樹脂成型されたキャビティの中にＬＥＤチップを実装し、かつ、当該キャビティ内に蛍光体含有樹脂を封入したパッケージ型のＬＥＤ素子である。複数の発光素子３２それぞれの光の主出射方向は、下方である。
【００３１】
基板３１の下面には、発光モジュール３０と、上述の電源回路基板とを電気的に接続するための端子部３４（図２において図示）が設けられ、複数の発光素子３２は、電源回路基板から端子部３４を通じて供給される直流電力によって発光する。実施の形態１では、端子部３４は、例えば、リード線挿通孔２１ａに挿通されたリード線がはんだ付けされる金属膜（ランド）である。しかしながら、端子部３４は、コネクタ（例えば、オス型）つきのリード線が着脱自在に接続されるコネクタ（例えば、メス型）などであってもよく、特に限定されるものではない。
【００３２】
カバー３５は、中央に円形の開口３６が設けられた略円形ドーム状の光学部材（グローブ）である。カバー３５は、透光性を有し、開口３６に把持部６０が挿通された状態で、発光モジュール３０（基板３１）の下面（光出射側）を覆う。カバー３５の内縁部には爪３７が複数設けられ、カバー３５は、爪３７が把持部６０の係合部６１（凹部）に係合することにより、把持部６０（器具本体２０）に取り付けられる。
【００３３】
カバー３５は、例えば、シリコーン樹脂、アクリル樹脂、ポリカーボネート樹脂、及び、ガラスなどの透光性材料により形成される。また、カバー３５は、シリカまたは炭酸カルシウムなどの光拡散材（微粒子）を含有する白色の樹脂で形成されて光拡散性を有してもよい。
【００３４】
口金４０は、発光モジュール３０（発光素子３２）を発光させるための電力をソケット８０から受電する受電部である。口金４０は、器具本体２０の上面２２（光出射側と反対側）に設けられる。より具体的には、口金４０は、器具本体２０の凹部２３内に設けられた凸部２３ａに取り付けられる。
【００３５】
口金４０は、具体的には、Ｅ型（エジソンタイプ）の口金であり、外周面が雄ネジ状になっている。このような構造により、口金４０は、ソケット８０にねじ入れられる。口金４０は、金属により形成される。
【００３６】
［枠体の構成］          
次に、枠体５０の構成について説明する。図１〜図４に示されるように、枠体５０は、器具本体２０に取り付けられ、器具本体２０の上面２２側の端部を側方から囲む、径方向に平たい略円環板状（リング状）の部材である。枠体５０の内周面には、全周にわたってねじ溝５３が形成されており、枠体５０は、ねじ溝５３が、上述のリッジ部２４に螺合することにより器具本体２０に取り付けられる。つまり、枠体５０は、リッジ部２４により形成されるねじ溝にねじ嵌められる。
【００３７】
図４に示されるように、枠体５０は、一部が器具本体２０よりも天井面７１側に位置し、器具本体２０の上面２２と天井面７１との間の空間８１を側方から囲む。枠体５０により、空間８１及び凹部２３への埃の侵入を抑制し、埃の侵入に起因する発火等の危険を抑制し、安全性を高めることができる。
【００３８】
また、上述のように照明装置１０は、ソケット８０に取り付けられるが、一般的にソケット８０は、天井面７１から下方に突出して設置されている。このため、器具本体２０の上面２２と天井面７１との間に空間８１が形成されてしまい、見栄えが悪くなる。
【００３９】
これに対し、枠体５０は、一部が器具本体２０よりも天井面７１側に位置し、器具本体２０の上面２２と天井面７１との間の空間８１を側方から囲んで覆い隠すため、見栄えを良くする（デザイン性を向上する）ことができる。
【００４０】
また、枠体５０がねじ溝にねじ嵌められる構成によれば、器具本体２０に対する枠体５０の位置を調整することができる。このような位置調整により、図４に示されるように、枠体５０（より詳細には、枠体５０の上端）を天井面７１に全周にわたって当接させ、器具本体２０の上面２２と天井面７１との間を隙間なく囲うことができる。このように、器具本体２０の上面２２と天井面７１との間を隙間なく囲うことによる、埃の侵入を抑制する効果、及び、デザイン性を向上する効果は高い。
【００４１】
なお、枠体５０は、必ずしも天井面７１に全周にわたって当接する必要はない。枠体５０の一部が天井面７１に当接していてもよい。また、枠体５０は、天井面７１に当接していなくても、少なくとも一部が器具本体２０の上面２２よりも天井面７１側に位置していればよい。このような構成により、空間８１及び凹部２３への埃などの侵入を抑制し、かつ、デザイン性を向上する一定の効果が得られる。
【００４２】
なお、照明装置１０においては、上記空間８１をなるべく小さくするため、口金４０は、器具本体２０の凹部２３内に設けられ、口金４０の全部が凹部２３内に位置する。これによっても、空間８１及び凹部２３への埃などの侵入を抑制し、かつ、デザイン性を向上する効果が得られる。また、口金４０が凹部２３内に設けられる構成によれば、照明装置１０の薄型化（軸Jの方向の長さ（厚み）の低減）が可能である。なお、口金４０は、少なくとも一部が凹部２３内に位置すればよく、口金４０の一部が器具本体２０の上面２２よりも天井面７１側に位置してもよい。このような場合も、空間８１及び凹部２３への埃などの侵入を抑制し、かつ、デザイン性を向上する一定の効果が得られる。 
【００４３】
また、枠体５０は、枠体５０を天井７０（天井面７１）に固定するための固定部５１及び５２を有する。固定部５１には、ねじ挿通孔５１ａが設けられ、固定部５２には、ねじ挿通孔５２ａが設けられる。図４に示されるように、枠体５０は、ねじ挿通孔５１ａに下方から挿入されたねじ９１が天井７０にねじ止めされ、ねじ挿通孔５２ａに下方から挿入されたねじ９２が天井７０にねじ止めされることにより、天井７０に固定される。
【００４４】
例えば、電球形ランプ用のソケット８０に、電球形ランプに代えて照明装置１０を取り付けるような場合が考えられるが、照明装置１０は、電球形ランプに比して重量が重くなりやすい。特に、照明装置１０のように金属製のヒートシンク２５を備える照明装置は、重量が重くなりやすい。したがって、ソケット８０に取り付けられた照明装置１０がソケット８０ごと脱落してしまう恐れがある。
【００４５】
これに対し、固定部５１及び５２によれば、これにより、照明装置１０の重量の一部を枠体５０を介して支えることができ、照明装置１０及びソケット８０が脱落する危険性を下げることができる。
【００４６】
なお、枠体５０の天井への固定方法は、ねじによる方法に限定されるものではない。枠体５０は、プッシュリベットなど、ねじ以外の固定部材で天井７０に固定されてもよい。
【００４７】
［把持部の構成］
次に、把持部６０の構成について説明する。把持部６０は、器具本体２０の下面２１（光出射側）の中央を含む領域（軸Ｊを含む領域）に設けられた、略円柱状の部位である。言い換えれば、把持部６０は、器具本体２０のうち、下面２１側の中央部分において、下方に突出した部位である。把持部６０は、照明装置１０のソケット８０への取り付けの際に、照明装置１０を回動させるために、ユーザが把持する部位である。
【００４８】
照明装置１０を取り付ける際の回動の軸Ｊの方向から見た場合に、把持部の外形は、器具本体２０の外形よりも小さい。このような構成により得られる効果について、図５をさらに用いて説明する。図５は、物体に加わる力を説明するための概念図である。
【００４９】
図５に示されるように、回動（回転）中心から距離ｄだけ離れた位置において物体に加わる力Ｆは、トルクＴを用いてＦ＝Ｔ／ｄと表される。この式を変形すると、Ｔ＝Ｆ×ｄとなる。
【００５０】
つまり、照明装置１０では、ユーザが器具本体２０の外縁（外周部分）を把持して照明装置１０を回動させる場合には、ユーザが加える力Ｆに、器具本体２０の半径に相当する距離ｄが乗算されたトルクＴが器具本体２０に加わる。つまり、ユーザが照明装置１０をわずかな力Ｆで回動させたとしても、器具本体２０には大きなトルクＴが加わる。そうすると、取付時にソケット８０に対して器具本体２０を過度に回動させてしまうなどの理由で、口金４０の破損（器具本体２０からの口金４０の脱落等）が生じやすくなる。特に、器具本体２０の外形が大きくなるほど、上式の距離ｄが大きくなるため、口金４０の破損が生じやすくなる。
【００５１】
これに対し、ユーザが把持部６０を把持して照明装置１０を回動させれば、ユーザが器具本体２０の外縁を把持して照明装置１０を回動させる場合よりも、上式の距離ｄが小さくなる。したがって、器具本体２０に加わるトルクＴが低減され、口金４０の破損を抑制することができる。
【００５２】
以下、把持部６０の詳細構成について説明する。把持部６０の下面には、平面視形状が略半円状の２つの凹部６２が設けられる。ユーザは、例えば、２つの凹部６２の一方に親指を挿入し、他方に人差し指を挿入する。
【００５３】
このように凹部６２が設けられれば、ユーザは、指を凹部６２に引っ掛けることにより容易に照明装置１０を回動させることができる。また、把持部６０に凹部６２が設けられる場合、把持部６０をカバー３５よりも下方に突出させない構造が容易に実現できる。つまり、照明装置１０の薄型化（軸Jの方向の長さ（厚み）の低減）が可能であり、照明装置１０のデザイン性を高めることができる。
【００５４】
また、図４に示されるように、把持部６０のうち凹部６２の底面（凹部６２を形成する底面）は、曲面を含む。具体的には、凹部６２の側面（凹部６２形成する側壁の面）と凹部６２の底面との境界が曲面となっている。このような曲面によれば、ユーザが凹部６２に指を入れたときのフィット感を向上させることができ、照明装置１０のソケット８０に対する取り外しをより一層容易にすることができる。
【００５５】
［変形例１］
上記のような把持部６０の形態は、一例である。以下、変形例１として、他の形態の把持部について説明する。図６は、変形例１に係る器具本体の外観斜視図である。図７は、変形例１に係る器具本体の上面図である。図８は、変形例１に係る器具本体の模式断面図（変形例１に係る器具本体を図７の８−８線で切断した模式断面図）である。なお、以下の変形例１の説明では、器具本体（把持部）の構成以外は照明装置１０と同様であるため、説明が省略される。
【００５６】
図６〜図８に示される、変形例１に係る器具本体２０ａの把持部６０ａは、凹部６２ａの形状が把持部６０と異なる。図６及び図７に示されるように、回動の軸Ｊの方向から見た場合に、２つの凹部６２ａは、当該回動の軸Ｊを囲むように配置された一対のアーチ状（アーチ状の溝）である。２つの凹部６２ａは、軸Ｊに対して対称的な形状であり、かつ、軸Ｊに対して対称的な位置に配置されている。言い換えれば、２つの凹部６２ａは、軸Ｊに関して点対称である。
【００５７】
把持部６０と同様に、把持部６０ａにおいても、凹部６２ａには、ユーザの指が挿入される。ユーザの指が挿入されることを考慮すると、図８に示される凹部６２ａの幅ｗは、例えば、１０ｍｍ以上２０ｍｍ以下が好ましい。
【００５８】
また、図８に示されるように、回動の軸Ｊから器具本体２０ａの外縁の端までの距離Ｒが、７５ｍｍ以上１００ｍｍ以下である場合、回動の軸Ｊから凹部６２ａの幅方向の中心までの距離ｒは、１５ｍｍ以上２５ｍｍ以下であることが好ましい。つまり、距離ｒは距離Ｒに対して十分小さいことが好ましい。これにより、器具本体２０ａに加わるトルクを十分に抑制することができ、口金４０が器具本体２０ａの破損をより確実に防ぐことができる。
【００５９】
なお、上記の実施の形態で説明した凹部６２及び凹部６２ａの形状は、一例であり、凹部の形状は特に限定されるものではない。
【００６０】
また、把持部には凸部が設けられてもよい。図９は、凸部が設けられた把持部を有する器具本体の外観斜視図である。
【００６１】
図９に示される、器具本体２０ｂの把持部６０ｂには、凸部６２ｂが設けられる。凸部６２ｂの平面視形状は、レーストラック形状であるが、他の形状であってもよく。特に限定されない。
【００６２】
このような把持部６０ｂの構造によれば、ユーザは、凸部６２ｂをつまむことにより、容易に器具本体２０ｂを備える照明装置を回動させることができる。なお、器具本体２０ｂが用いられた照明装置においては、把持部６０ｂは、カバー３５よりも下方に突出する。
【００６３】
［変形例２］
上記のような枠体５０の形態は、一例である。以下、変形例２として、他の形態の枠体について説明する。図１０は、変形例２に係る照明装置の模式断面図である。なお、以下の変形例２の説明では、枠体及び器具本体の構成以外は照明装置１０と同様であるため、説明が省略される。
【００６４】
照明装置１０では、枠体５０は、器具本体２０にねじ嵌められた。これに対し、図１０に示される照明装置１０ｃにおいては、枠体５０ｃの器具本体２０ｃへの取り付けは、枠体５０ｃの内周面に設けられた爪５４を、器具本体２０ｃの側面に設けられた係止部２４ｃに引っ掛けることにより取り付けられる。係止部２４ｃには、器具本体２０ｃの周方向に伸びる複数の係止溝が設けられ、各係止溝は、爪５４に対応した形状である。
【００６５】
枠体５０ｃの取り付けにおいては、ユーザは、器具本体２０ｃに枠体５０ｃを下方から押し込む。すると、枠体５０ｃの爪５４が撓み、係止部２４ｃの係止溝に嵌まり込む。この状態においては、爪５４が係止部２４ｃに引っ掛かるため、ユーザは枠体５０ｃを下方に動かすことはできないが、ユーザがさらに枠体５０ｃを下方から上方に向けて押し込むと、枠体５０ｃの爪５４が撓んで、上記係止溝よりも１段上に位置する係止溝に嵌まり込む。
【００６６】
このような構成によれば、ユーザは、枠体５０ｃを下方から押し込むことにより、枠体５０ｃを器具本体２０ｃに簡単にはめ込むことができる。また、枠体５０ｃの上下方向の位置調整も可能である。
【００６７】
なお、爪５４は、枠体５０ｃの内周面に部分的に設けられるが、全周にわたって設けられてもよい。係止部２４ｃについても同様であり、係止部２４ｃは、器具本体２０ｃの側面において部分的に設けられてもよいし、全周にわたって設けられてもよい。
【００６８】
（その他の実施の形態）
以上、実施の形態に係る照明装置について説明したが、本発明は、このような実施の形態に限定されるものではない。
【００６９】
例えば、上記実施の形態では、照明装置１０は、天井面７１に取り付けられたが、天井面７１は設置面の一例である。照明装置１０は、例えば、壁面など他の構造物の面に取り付けられてもよい。
【００７０】
また、上記実施の形態では、照明装置１０は、シーリングライトであるとして説明された。しかしながら、上記実施の形態の把持部は、回動により取り付けられるシーリングライト以外の照明装置にも適用可能である。例えば、本発明は、回動により取り付けられる照明用光源（例えば、電球形ランプ、ダウンライト用途のライトエンジンなど）にも適用可能である。また、上記実施の形態の枠体は、設置面に取り付けられるその他の照明装置にも適用可能である。
【００７１】
また、上記実施の形態では、発光部の一例として、ＳＭＤ型の発光モジュール３０が用いられたが、発光部の態様は特に限定されるものではない。例えば、基板３１上にＬＥＤチップが直接実装された、ＣＯＢ（Ｃｈｉｐ  Ｏｎ  Ｂｏａｒｄ）型の発光モジュールが発光部として用いられてもよい。また、発光モジュール３０の代わりに、有機ＥＬ素子（ＯＬＥＤ）または無機ＥＬ素子等のＬＥＤ以外の固体発光素子を用いて構成された発光モジュールが発光部として用いられてもよい。
【００７２】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７３】
１０、１０ｃ  照明装置
２０、２０ａ、２０ｂ、２０ｃ  器具本体
３０  発光モジュール（発光部）
４０  口金
６０、６０ａ、６０ｂ  把持部
６２、６２ａ  凹部
６２ｂ  凸部
８０  ソケット
【図１】
0006583768.tif 000002
【図２】
0006583768.tif 000003
【図３】
0006583768.tif 000004
【図４】
0006583768.tif 000005
【図５】
0006583768.tif 000006
【図６】
0006583768.tif 000007
【図７】
0006583768.tif 000008
【図８】
0006583768.tif 000009
【図９】
0006583768.tif 000010
【図１０】
0006583768.tif 000011